(57)【要約】【課題】  下方からの衝撃に強く、更に付属品も良好に収納できるブレーカ梱包箱を提供する。【解決手段】  左右側面、前面、背面の周囲４面を閉塞する周囲部材１と、上部を閉塞する蓋部材２と、下部を閉塞する底部材３との６面部材に加えて、当該６面部材で形成した箱体内に収納したブレーカ３０の上面を覆う内蓋４ａが１枚の紙材で一体に形成され、底部材３の上に配置されてブレーカ３０の下部に空間を形成するための底上げ片１５と、内蓋４ａ上に付属品収納部Ｆを隔離形成するための隔壁１９とが更に紙材に一体形成されている。【選択図】  図３
2018030612.tif 000002
【特許請求の範囲】
【請求項１】
左右側面、前面、背面の周囲４面を閉塞する周囲部材と、上部を閉塞する蓋部材と、下部を閉塞する底部材との６面部材に加えて、当該６面部材で形成した箱体内に収納したブレーカの上面を覆う内蓋が１枚の紙材で一体に形成されたブレーカ梱包箱であって、
前記ブレーカの下部に緩衝空間を形成するために前記底部材上に配置される底上げ片と、
前記内蓋上に付属品収納部を隔離形成するための隔壁とが更に前記紙材に一体形成されていることを特徴とするブレーカ梱包箱。
【請求項２】
前記紙材を展開した状態で、前記周囲部材の４面は横方向に連続形成され、
前記蓋部材は、前記周囲部材のうちの背面に配置される背面部材の上辺に連続形成される一方、前記内蓋は、前記周囲部材のうちの前面に配置される前面部材の上辺に連続形成されて、前記ブレーカの操作ハンドルを露出させる挿通窓を有し、
前記隔壁は前記内蓋の途中に形成され、前記内蓋の挿通窓に隣接する部位を山折りして形成されることを特徴とする請求項１記載のブレーカ梱包箱。
【請求項３】
前記底上げ片は、前記周囲部材のうちの左右側面を構成する側面部材の上辺にそれぞれ連続形成された折り返し片を介して形成され、
前記折り返し片は、前記側面部材の高さからブレーカ下部に形成される前記緩衝空間の高さを差し引いた長さを有して、前記側面部材に重なる様に前記箱体の内側に折り返して配置され、
前記底上げ片は、前記折り返し片の先端が谷折りされて傾斜配置された状態で、先端が前記底部材に当接して成ることを特徴とする請求項２記載のブレーカ梱包箱。
【請求項４】
前記内蓋の前記背面部材に当接する先端には、上方に折り曲げられて前記蓋部材の基部に当接して、前記内蓋の浮き上がりを防止する浮き上がり防止片が形成されて成ることを特徴とする請求項２又は３記載のブレーカ梱包箱。
【請求項５】
前記隔壁は、施蓋した前記蓋部材に当接する高さを有することを特徴とする請求項４記載のブレーカ梱包箱。
【発明の詳細な説明】
【技術分野】
【０００１】
本発明は、分電盤等に設置されて異常電流が発生したら電路を遮断するブレーカを梱包するブレーカ梱包箱に関する。
【背景技術】
【０００２】
従来より、周囲６面に加えて収納したブレーカを固定する部材等の機能部材を１枚の紙材に一体形成し、折り曲げて組み立てたブレーカ梱包箱がある。例えば特許文献１では、１枚の紙材から周囲６面に加えて箱底部材周囲に底部材を補強する立ち上げ片を設けて、下方からの衝撃に強くしている。
また特許文献２では、内蓋を設けて付属品を収納する空間を分離形成している。
【先行技術文献】
【特許文献】
【０００３】
【特許文献１】特開２００３−４０２４９号公報
【特許文献２】特開２０１５−１３４６２５号公報
【発明の概要】
【発明が解決しようとする課題】
【０００４】
上記特許文献１のものは、立ち上げ片を設けることで下方からの衝撃に強く、特にブレーカの角部を保護できる構成となっている。しかしながら、梱包箱の底部自体は収納したブレーカに密着しているため、底面中央付近に衝撃が加わった場合は、直接ブレーカ底部にその衝撃が加わった。また、付属品を収納する専用の空間が無く、例えばブレーカのハンドル周囲に形成されている空間を利用して付属品を収容すると、輸送中の振動等でブレーカに傷が付いてしまう問題があった。
一方、上記特許文献２に記載されたものは、付属品収納部を設けているものの、ブレーカの操作ハンドルが露出したままであるため、付属品によりブレーカに傷が付くことを完全に防ぐことはできなかった。また、箱の底部には衝撃を吸収する部材が無いため、下方から衝撃が加わった場合はブレーカが破損し易かった。
【０００５】
そこで、本発明はこのような問題点に鑑み、下方からの衝撃に強く、更に付属品も良好に収納できるブレーカ梱包箱を提供することを目的としている。
【課題を解決するための手段】
【０００６】
上記課題を解決する為に、請求項１の発明は、左右側面、前面、背面の周囲４面を閉塞する周囲部材と、上部を閉塞する蓋部材と、下部を閉塞する底部材との６面部材に加えて、当該６面部材で形成した箱体内に収納したブレーカの上面を覆う内蓋が１枚の紙材で一体に形成されたブレーカ梱包箱であって、ブレーカの下部に緩衝空間を形成するために底部材上に配置される底上げ片と、内蓋上に付属品収納部を隔離形成するための隔壁とが更に紙材に一体形成されていることを特徴とする。
この構成によれば、底上げ片によりブレーカとブレーカ梱包箱の底部との間に緩衝空間が形成されるため、箱体下方から受けた衝撃が直接ブレーカに伝わるのを防ぐことができ、下方からの衝撃でブレーカが破損するのを防止できる。
また、内蓋と蓋部材との間に付属品収納部が隔離形成されるため、収納した付属品によりブレーカが傷つくことがない。
【０００７】
請求項２の発明は、請求項１に記載の構成において、紙材を展開した状態で、周囲部材の４面は横方向に連続形成され、蓋部材は、周囲部材のうちの背面に配置される背面部材の上辺に連続形成される一方、内蓋は、周囲部材のうちの前面に配置される前面部材の上辺に連続形成されて、ブレーカの操作ハンドルを露出させる挿通窓を有し、隔壁は内蓋の途中に形成され、内蓋の挿通窓に隣接する部位を山折りして形成されることを特徴とする。
この構成によれば、隔壁は内蓋を折り曲げる簡単な構成で済むし、操作ハンドルが内蓋上に露出しても、付属品収納部を隔壁により露出した操作ハンドルから確実に隔離でき、露出している操作ハンドルに付属品が接触して操作ハンドルが破損することがない。
【０００８】
請求項３の発明は、請求項２に記載の構成において、底上げ片は、周囲部材のうちの左右側面を構成する側面部材の上辺にそれぞれ連続形成された折り返し片を介して形成され、折り返し片は、側面部材の高さからブレーカ下部に形成される緩衝空間の高さを差し引いた長さを有して、側面部材に重なる様に箱体の内側に折り返して配置され、底上げ片は、折り返し片の先端が谷折りされて傾斜配置された状態で、先端が底部材に当接して成ることを特徴とする。
この構成によれば、箱体上部に形成された折り返し片を内側に折り曲げて、その先端を谷折りすれば底上げ片が底部材上に配置されて緩衝空間が形成されるため、簡易な操作で緩衝空間を形成できる。
【０００９】
請求項４の発明は、請求項２又は３に記載の構成において、内蓋の背面部材に当接する先端には、上方に折り曲げられて蓋部材の基部に当接して、内蓋の浮き上がりを防止する浮き上がり防止片が形成されて成ることを特徴とする。
この構成によれば、内蓋先端部の浮き上がりを防止でき、運送時に振動が発生してもブレーカの安定した保持が可能となる。
【００１０】
請求項５の発明は、請求項４に記載の構成において、隔壁は、施蓋した蓋部材に当接する高さを有することを特徴とする。
この構成によれば、隔壁の上部は蓋部材に当接するため、内蓋の中央付近の浮き上がりを防止できるため、更なるブレーカの安定保持が可能となる。
【発明の効果】
【００１１】
本発明によれば、底上げ片によりブレーカとブレーカ梱包箱の底部との間に緩衝空間が形成されるため、箱体下方から受けた衝撃が直接ブレーカに伝わるのを防ぐことができ、下方からの衝撃でブレーカが破損するのを防止できる。
また、内蓋と蓋部材との間に付属品収納部が隔離形成されるため、収納した付属品によりブレーカが傷つくことがない。
【図面の簡単な説明】
【００１２】
【図１】本発明に係るブレーカ梱包箱の一例を示す斜視説明図であり、蓋部材を開けた状態をを示している。
【図２】図１のブレーカ梱包箱を展開した平面図である。
【図３】ブレーカを収納した図１の状態のブレーカ梱包箱の説明図である。
【図４】ブレーカ梱包箱の左側面説明図であり、（ａ）はブレーカを収納した状態（ｂ）は空の状態を示している。
【図５】ブレーカ梱包箱の正面説明図であり、（ａ）はブレーカを収納した状態、（ｂ）は空の状態を示している。
【発明を実施するための形態】
【００１３】
以下、本発明を具体化した実施の形態を、図面を参照して詳細に説明する。図１，２は本発明に係るブレーカ梱包箱の一例を示す説明図で、図１は外蓋を開けた状態の斜視説明図、図２はこのブレーカ梱包箱を展開した平面図を示している。
図１，２において、１はブレーカ梱包箱（以下、「箱体」と称する。）の周囲４面を構成する周囲部材、２は上部を閉塞する外蓋２ａが形成された蓋部材、３（３ａ〜３ｄ）は下部を閉塞する底面を構成する底部材、４は内部に配置される内蓋４ａが形成された内蓋部材であり、これらが１枚の紙材に一体に形成されている。
【００１４】
周囲部材１は、背面を構成する背面部材１１、左側面を構成する左側面部材１２、前面を構成する前面部材１３、右側面を構成する右側面部材１４を有し、左から右に帯状に連続形成されている。そして、この周囲部材１を紙材の中央に配置して、他の部材がその周囲に連続形成されている。尚、１１ａは糊代であり、背面部材１１の左端に形成され、右側面部材１４の端部に重ねて連結される。
【００１５】
底部材３（３ａ〜３ｄ）は、周囲部材１の各部材の下辺にそれぞれ分割して連続形成されており、周囲部材１を折り曲げて周囲４面を形成した際に、個々の底部材３（３ａ〜３ｄ）が重ね合わせられて底面が形成され、底部が閉塞される。
蓋部材２は背面部材１１の上辺に連続形成され、外蓋２ａに加えてその先に前面部材１３の背部に差し込まれる差込片２ｂが形成されている。
【００１６】
また、左右側面板１２，１４の上辺には、収納したブレーカの下部に緩衝空間を形成するための底上げ片１５が折り返し片１６を介して連続形成されている。
この折り返し片１６は、箱体の底部に形成する緩衝空間の高さに合わせた所定の長さで形成、即ち箱の高さから形成する緩衝空間の高さを引いた寸法で形成されている。そして、その先端に形成された底上げ片１５は、底部材３で形成された底面に先端が接触した状態で斜めに配置されるよう一定の長さで形成されている。
【００１７】
内蓋部材４は、前面部材１３の上辺に連続形成され、ブレーカ上面３２（図４に示す）に接触してブレーカ上部を覆う内蓋４ａに加えて、ブレーカの上面位置まで内蓋４ａを落とし込むための落とし込み片１８、付属品収納部Ｆを形成するための隔壁１９、内蓋４ａの浮き上がり防止するための浮き上がり防止片２０を備えている。
但し図２に示すように、内蓋４ａは隔壁１９により前後に分断されて形成され、前側内蓋４ａａ、後側内蓋４ａｂとで構成されている。また、隔壁１９は隣接配置された第１隔壁片１９ａと第２隔壁片１９ｂとを有し、重ね合わせることで１つの隔壁１９を形成する。
これらの部材は、落とし込み片１８，前側内蓋４ａａ、第１隔壁片１９ａ、第２隔壁片１９ｂ、後側内蓋４ａｂ、浮き上がり防止片２０の順に、前面部材１３の上辺から連続形成されている。尚、収納される付属品は、例えばブレーカの端子に電線を接続する端子ネジやブレーカを取り付ける取付ネジである。
【００１８】
前側内蓋４ａａには、ブレーカの操作ハンドル３１（図３に示す）を露出させる挿通窓４ｂが開口形成されて、隔壁１９はこの挿通窓４ｂに隣接する部位に形成されている。
また、落とし込み片１８の中央には、外蓋２ａの前側端部に形成されたスリット２ｃに差し込んで施蓋した状態をロックする爪片１３ａが切り抜き形成され、この爪片１３ａは、前面部材１３の上部から連続形成されている。
【００１９】
隔壁１９は、左右方向に直線状に形成され、施蓋した外蓋２ａに接触する一様な高さを有している。こうして、操作ハンドル３１の奥側に、操作ハンドル３１から隔離した付属品収納部Ｆが形成される。
浮き上がり防止片２０は、落とし込み片１８と同一の長さ（高さ）を有し、内蓋４ａ先端である背面部材１１との当接部の浮き上がりを防止する。尚、落とし込み片１８は内蓋４ａの基部である前面部材１３との当接部の浮き上がりを防止するし、隔壁１９が内蓋４ａ中央の浮き上がりを防止する。
【００２０】
図３はブレーカを収納した箱体の斜視説明図を示し、３０はブレーカである。また、図４は箱体の左側面図、図５は正面図であり、図４，５において（ａ）はブレーカを収納した状態、（ｂ）は空の状態を示している。図示するように、ブレーカ３０は、操作ハンドル３１が上面中央に突出しており、３端子構造のものが端子部を左右方向に向けて収納される。
箱体は、上述したように１枚の紙材を折り曲げて図１に示すように作成され、ブレーカ３０は内蓋部材４を開けて収納される。ブレーカ３０が収納されたら、開けた内蓋部材４を再び所定位置に折り曲げ配置することで内蓋４ａが施蓋され、図３に示す状態となる。
【００２１】
尚、更に外蓋２ａの先端に形成されている差込片２ｂを前面部材１３の背部に差し込んで施蓋し、爪片１３ａを外蓋２ａの端部に形成されたスリット２ｃに挿入することで施蓋した状態がロックされ、梱包状態となる（図示せず）。
【００２２】
この梱包状態で、箱体に収納されたブレーカ３０は、底部に配置された底上げ片１５により、ブレーカ３０の下面と底部材３で形成される底面との間に所定の緩衝空間Ｓが形成され、その状態が維持される。また、ブレーカ上面３２には内蓋４ａが接触することで、ブレーカ３０は上下の移動が規制される。尚、ブレーカ３０の前後左右は隙間が発生しないようブレーカの寸法に合わせて箱体は作成されている。
【００２３】
そして、内蓋部材４の先端に形成された浮き上がり防止片２０が、背面部材１１に密着した状態で、その上端が外蓋２ａの基部に当接するため、内蓋４ａの先端部の浮き上がりが防止される。
また、隔壁１９も外蓋２ａの中央付近に当接するため、内蓋４ａの中央部の浮き上がりが防止される。更に、落とし込み片１８により内蓋４ａ基部の浮き上がりが防止される。
【００２４】
このように、底上げ片１５によりブレーカ３０と箱体の底部との間に緩衝空間Ｓが形成されるため、箱体下方から受けた衝撃が直接ブレーカ３０に伝わるのを防ぐことができ、下方からの衝撃でブレーカ３０が破損するのを防止できる。
また緩衝空間Ｓは、箱体上部に形成された折り返し片１６を内側に折り曲げて、その先端を谷折りすれば底上げ片１５が底部材３上に配置されて緩衝空間Ｓが形成されるため、簡易な操作で緩衝空間Ｓを形成できる。
更に、内蓋４ａと蓋部材２との間に付属品収納部Ｆが隔離形成されるため、収納した付属品によりブレーカ３０が傷ついたり破損するのを防止できる。また、隔壁１９は内蓋４ａを折り曲げる簡単な構成で済むし、操作ハンドル３１が内蓋４ａ上に露出しても付属品収納部Ｆは隔壁１９により露出した操作ハンドル３１から確実に隔離でき、接触することがない。
【００２５】
尚、上記実施形態では、付属品収納部Ｆを操作ハンドル３１の奥側に設けているが、隔壁１９を操作ハンドル３１の手前に設けて箱体の前面側に設けても良いし、隔壁１９を操作ハンドル３１を挟むように２つ設けて、前後両側に付属品収納部Ｆを設けても良い。
また、山折りして紙材２枚分の厚みしかない上記形態の隔壁１９を、台形状に折り曲げて、或いは落とし込み片１８を設けず箱体前面側から操作ハンドル３１の奥側にかけて外蓋２ａに接する高さの上面を設けて、更には前面側に付属品収納部Ｆを設けて操作ハンドル３１の手前から背面部材１１にかけて外蓋２ａに接する高さの上面を設けて、操作ハンドル３０を覆うように隔壁１９を形成しても良い。このように隔壁１９を形成した場合、内蓋４ａにブレーカ３０の操作ハンドル３１を露出させる挿通窓４ｂが必要無くなる。
【符号の説明】
【００２６】
１・・周囲部材、２・・蓋部材、２ａ・・外蓋、３・・底部材、４・・内蓋部材、４ａ・・内蓋、４ｂ・・挿通窓、１１・・背面部材、１２・・左側面部材、１３・・前面部材、１４・・右側面部材、１５・・底上げ片、１６・・折り返し片、１８・・落とし込み片、１９・・隔壁、２０・・浮き上がり防止片、３０・・ブレーカ、３１・・操作ハンドル、３２・・ブレーカ上面、Ｆ・・付属品収納部、Ｓ・・緩衝空間。
【図１】
2018030612.tif 000003
【図２】
2018030612.tif 000004
【図３】
2018030612.tif 000005
【図４】
2018030612.tif 000006
【図５】
2018030612.tif 000007